【手続補正書】
【提出日】平成17年6月6日(2005.6.6)
【手続補正１】
【補正対象書類名】特許請求の範囲
【補正対象項目名】全文
【補正方法】変更
【補正の内容】
【特許請求の範囲】
【請求項１】
履き物の物品であって、
ソールと、
その中に使用者の足を囲むシェルを備える甲部であり、前記シェルが、使用者の足首まわりの少なくとも一部に延在する部分を有し、使用者の前記足首が前記ソールよりも高い位置に足関節を有する、甲部と、
前記甲部と前記ソールとの間に延在する衝撃防止装置であり、前記衝撃防止装置が、エネルギーストレージ部材を含み、前記エネルギーストレージ部材が、前記ソールで生じた反力の大部分を、該ソールから、前記シェルの前記延在する部分に転換し、これによって、前記反力を使用者の前記足首の前記足関節の高さに転換し、これによって、前記エネルギーストレージ部材は、横方向からの力が、前記履き物の物品に印加されるとき、前記使用者の足首への逆転モーメント力を削除し、かつ／又は減少する、衝撃防止装置とを備え、
前記エネルギーストレージ部材が、第１のエネルギーストレージ部材を備え、前記物品が、第２のエネルギーストレージ部材を備え、前記第１のエネルギーストレージ部材が、第１のバネ定数を有し、そして、前記第２のエネルギーストレージ部材が第２のバネ定数を有する履き物の物品。
【請求項２】
前記第２のエネルギーストレージ部材が圧縮性物体を備えている、請求項１に記載の履き物の物品。
【請求項３】
前記エネルギーストレージ部材が、フレキシブルな物体を備えている、請求項１に記載の履き物の物品。
【請求項４】
前記フレキシブルな物体が、リーフスプリングを備えている、請求項３に記載の履き物の物品。
【請求項５】
前記第１のエネルギーストレージ部材が、一対のスプリングを備え、前記スプリングの１つが、前記物品の内側側面に位置され、そして、前記スプリングのもう１つが、前記物品の外側側面に位置されている、請求項２に記載の履き物の物品。
【請求項６】
前記スプリングが、リーフスプリングを備えている、請求項５に記載の履き物の物品。
【請求項７】
前記スプリングが、プラスチックリーフスプリングを備えている、請求項３に記載の履き物の物品。
【請求項８】
前記ソールが、少なくとも１つの拡大したエリアを含み、前記拡大したエリアが、前記ソールの中央長手方向軸から外方横方向に延在している、請求項１に記載の履き物の物品。
【請求項９】
前記拡大したエリアが、前記物品の着用者の足首の重心を延通する横軸に沿って外方に延在する、請求項８に記載の履き物の物品。
【請求項１０】
前記拡大したエリアに対する接線が、前記横軸を延通し、前記接線が、前記横軸に対して約４０度から８０度の範囲の角度を形成する、請求項９に記載の履き物の物品。
【請求項１１】
前記拡大したエリアが、前記ソールのトウ領域から外方に延在する横軸に沿って外方に延在する、請求項８に記載の履き物の物品。
【請求項１２】
前記拡大したエリアに対する接線が、前記横軸を延通し、前記接線が、前記横軸に対して約４０度から８０度の範囲の角度を形成する、請求項１１に記載の履き物の物品。
【請求項１３】
前記ソールが、第１の拡大したエリアと第２の拡大したエリアとを含み、前記第１の拡大したエリアが、ほぼ、前記物品の着用者の足首の重心を延通する横軸に沿って外方に延在し、そして、前記第２の拡大したエリアが、ほぼ、前記ソールのトウ領域を延通する横軸に沿って外方に延在する、請求項８に記載の履き物の物品。
【請求項１４】
前記甲部が、外側アーチサポートと、内側アーチサポートとを含み、前記外側アーチサポートが、前記物品の横側面で前記カラーから前記ソールへ下方に延在し、そして、前記内側アーチサポートが、前記カラーから前記ソールへ下方に延在している、請求項１に記載の履き物の物品。
【請求項１５】
履き物の物品であって、
ソールと、
前記ソールに連結される甲部であり、前記甲部が、その中に使用者の足を囲むシェルを備え、使用者の足首まわりの少なくとも一部に延在する部分を有し、使用者の前記足首が前記ソールよりも高い位置に足関節を有する、甲部と、
前記甲部と前記ソールとの間に延在する衝撃防止装置であり、前記衝撃防止装置が、第１のエネルギーストレージ部材と第２のエネルギーストレージ部材とを含み、前記衝撃防止装置が、前記ソールで生じた反力の大部分を、該ソールから、前記シェルの前記延在する部分に転換し、これによって、前記反力を使用者の前記足首の前記足関節の高さに転換し、これによって、前記エネルギーストレージ部材は、横方向からの力が、前記履き物の物品に印加されるとき、前記使用者の足首への逆転モーメント力を削除し、かつ／又は減少し、前記第１のエネルギーストレージ部材が、前記物品の着用者のために第１の範囲モーションに対する第１の抵抗を供給し、そして、前記第２のエネルギーストレージ部材が、前記物品の前記着用者のために第２の範囲のモーションに対して第２の抵抗を供給する、衝撃防止装置と、
を備えている、履き物の物品。
【請求項１６】
前記ソールが、少なくとも１つの拡大したエリアを含み、前記拡大したエリアが、前記第１の横軸及び前記第２の横軸の１つに沿って前記中央長手方向軸から外方横方向に延在し、前記ソールが、さらにまた、前記第１の横軸及び前記第２の横軸の前記１つを横切る前記拡大したエリアで接線を含み、そして、前記接線が、前記第１の横軸及び前記第２の横軸の前記１つに対して約４０°から８０°の範囲の角度を形成する、請求項１５に記載の履き物の物品。
【請求項１７】
前記拡大したエリアが、前記第１の横軸に沿って外方に延在している、請求項１６に記載の履き物の物品。
【請求項１８】
前記拡大したエリアが、前記第２の横軸に沿って外方に延在している、請求項１６に記載の履き物の物品。
【請求項１９】
前記拡大したエリアが、第１の拡大したエリアを備え、前記ソールが、第２の拡大したエリアを含み、前記第１の拡大したエリアが、前記第１の横軸に沿って外方に延在し、そして、前記第２の拡大したエリアが、前記第２の横軸に沿って外方に延在している、請求項１６に記載の履き物の物品。
【請求項２０】
前記第１の抵抗が、前記第２の抵抗よりも大きい、請求項１６に記載の履き物の物品。
【請求項２１】
前記第１のエネルギーストレージ部材が、非圧縮状態から圧縮状態に第１のモーションの範囲にわったって、たわむと共に、前記第１のモーションの範囲に対して第１の抵抗を供給する、請求項１５に記載の履き物の物品。
【請求項２２】
前記第２のエネルギーストレージ部材が、第１の状態から第２の圧縮状態に第２のモーションの範囲にわたって、たわむと共に、前記第２のモーションの範囲に対して第２の抵抗を供給する、請求項１５に記載の履き物の物品。
【請求項２３】
前記第１のエネルギーストレージ部材が、前記甲部塗前記ソールとの間に延在し、前記第１のエネルギーストレージ部材が、前記ソールからほぼ前記カラーにおける前記シェルへ反力を転換し、それによって、前記エネルギーストレージ部材は、横力が、前記履き物の物品に印加されるとき、前記使用者の足首への逆転モーメント力を減少する、請求項１５に記載の履き物の物品。
【請求項２４】
前記ソールが、前記物品の安定性を増大するために少なくとも１つの拡大したエリアを含み、前記拡大したエリアが、前記ソールの中央長手方向軸から外方に、外側に、あるいは、内側に延在している、請求項１５に記載の履き物の物品。
【請求項２５】
前記ソールが、第１の横軸と第２の横軸とを含み、前記第１の横軸が、前記ヒール領域で前記長手方向軸にほぼ直交して延在し、そして、前記第２の横軸が、前記トウ領域で前記長手方向軸にほぼ直交して延在し、前記拡大したエリアが、前記第１の横軸及び前記第２の横軸の１つに沿って前記中央長手方向軸から外方に延在している、請求項１５に記載の履き物の物品。
【請求項２６】
前記拡大したエリアが、第１の拡大したエリアを備え、前記ソールが、第２の拡大したエリアを含み、前記第１の拡大したエリアが、前記第１の横軸に沿って外方に延在し、そして、前記第２の拡大したエリアが、前記第２の横軸に沿って外方に延在している、請求項２５に記載の履き物の物品。
【請求項２７】
上記第１のエネルギーストレージ部材が、前記甲部と前記ソールとの間に延在する一対のリーフスプリングを含み、前記リーフスプリングが、前記ソールで生じた反力を、前記ソールから前記シェルの前記延在する部分に転換し、これによって、前記反力を使用者の前記足首の前記足関節の高さに転換し、それによって、前記リーフスプリングは、前記使用者が前記履き物の物品にたよるとき、前記使用者の足首へのモーメント力を減少し、そして、さらにまた、前記使用者の関節へのクッショニングを供給する、請求項１５に記載の履き物の物品。
【請求項２８】
前記甲部が、内側側面と外側側面とを含み、前記スプリンの１つが、前記内側側面に位置され、そして、前記スプリングのもう１つが、前記外側側面に位置されている、請求項２７に記載の履き物の物品。
【請求項２９】
前記スプリングが、プラスチックリーフスプリングを備えている、請求項２７に記載の履き物の物品。
【請求項３０】
前記スプリングが、着脱自在に前記甲部と前記ソールとに取り付けられている、請求項２７に記載の履き物の物品。
【請求項３１】
前記第２のエネルギーストレージ部材が、前記甲部と前記ソールとの間にクッショニング部材を備えている、請求項２７に記載の履き物の物品。
【請求項３２】
前記クッショニング部材が、圧縮性物体を備えている、請求項３１に記載の履き物の物品。
【請求項３３】
前記ソールが、少なくとも１つの拡大したエリアを含み、前記拡大したエリアが、前記ソールの中央長手方向から外方横方向に延在している、請求項２７に記載の履き物の物品。
【請求項３４】
前記延在する部分がカラーを有する、請求項１５に記載の履き物の物品。
【請求項３５】
前記延在する部分がカラーを有する、請求項１に記載の履き物の物品。
【請求項３６】
前記第１のバネ定数が、前記第２のバネ定数よりも大きい、請求項１に記載の履き物の物品。